(57)【要約】【課題】従来の活性水素を有する水の生成装置は、第１・第２岩石収納器という大型の収容器に活性水素生成用の岩石を充填する構造である。従って、大規模商店（スーパー）、工場、大規模病院等においては、重宝する。しかし、ボトル用の水素水生成用の発生手段として要求される条件を備えていない。例えば、ボトルを携帯し、必要とする際に、その場で水素水を生成できること、また家庭に常備して、毎日使用すること等に関し、少し問題がある。【構成】本発明は、マグネシウム製等の金属素材で形成された多数の透孔を備えた筒状本体と、筒状本体に収容したマグネシウム、黒曜石、トルマリン等の水素水発生粒子を充填した袋体とで構成した水素水発生体は、ボトルのキャップに着脱自在に設けられており、水素水発生体のボトルの水への浸漬を、キャップの係止手段に対する係止解除操作を介して実行する構成とした水素水発生体付きボトルである。従って、ボトルを利用した水素水生成具を提供できる。【選択図】    図１
2004344783.tif 000002
【特許請求の範囲】
【請求項１】
マグネシウム、又はステンレス製等の金属素材で形成された筒状本体と、この筒状本体に開設した多数の透孔と、前記筒状本体に収容したマグネシウム、黒曜石、トルマリン、抗菌砂、風化サンゴ等の水素水発生粒子を充填した袋体とで構成した水素水発生体は、ボトルのキャップに取付け、取外し自在に設けられており、前記水素水発生体は、当該キャップの係止手段への係止を介して取付け可能とし、また当該キャップの押圧を介して前記係止手段より取外し可能としたことを特徴とする水素水発生体付きボトル。
【請求項２】
請求項１に記載の係止手段は、嵌込み形の可撓性筒体であり、この筒体に水素水発生体を設ける構成としたことを特徴とする水素水発生体付きボトル。
【請求項３】
請求項１に記載の水素水発生体を構成する粒子の混合割合は、重量％で、マグネシウム１５、黒曜石１５、トルマリン１５、抗菌砂３０、風化サンゴ２５としたことを特徴とする水素水発生体付きボトル。
【請求項４】
請求項１に記載のボトルは、ペットボトルとしたことを特徴とする水素水発生体付きボトル。
【請求項５】
請求項１に記載のキャップの押圧は、キャップに膨出した押圧凸部としたことを特徴とする水素水発生体付きボトル。
【請求項６】
マグネシウム、又はステンレス製等の金属素材で形成された筒状本体と、この筒状本体に開設した多数の透孔と、前記筒状本体に収容したマグネシウム、黒曜石、トルマリン、抗菌砂、風化サンゴ等の水素水発生粒子を充填した袋体とで構成した水素水発生体は、ボトルに取付け、取外し自在に設けられており、前記水素水発生体は、当該ボトルの係止手段への係止を介して取付け可能とし、また当該ボトル又はキャップの押圧を介して前記係止手段より取外し可能としたことを特徴とする水素水発生体付きボトル。
【発明の詳細な説明】
【０００１】
【産業上の利用分野】
本発明は、水素水発生体付きボトルに関する。
【０００２】
【従来の技術】
従来、この種の水素水発生装置と、水素水発生体としては、特開２０００−１７６４６５の活性水素を有する水の製造方法及び製造装置（文献とする）がある。その内容は、タンクと黒曜石か水晶の少なくとも一つの岩石を収納した第１岩石収納器と、第１岩石収納器に連通する同質の岩石を収納した第２岩石収納器とで構成し、タンク内の水を第１岩石収納器と第２岩石収納器の岩石に通して再びタンクに戻す操作を繰返し、水と岩石との数回の接触により、水に活性水素を含有させる。このタンクと、第１・第２岩石収納器との間を水が循環する構成を採用し、少量の岩石の使用で、簡易、かつ効率的な水と岩石との接触を介して活性水素を含む飲料水に変換すること、この活性水素を含む飲料水を、大量かつ簡単に製造すること等を意図する。
【０００３】
この文献は、第１・第２岩石収納器という大型の収容器に活性水素生成用の岩石を充填する構造である。従って、大規模商店（スーパー）、工場、大規模病院等においては、重宝する。しかし、例えば、ペットボトル等のボトル類、瓶等の家庭用、携帯用（大小は問わない）等として使用される小型の水素水生成用の装置、又は手段として到底、採用できない発明である。
【０００４】
そこで、本出願人は、小型の家庭用として要求される条件を備えた水素水発生装置、又は水素水発生器具（以下、水素水発生装置とする）を提案している。この提案の一例を述べれば、低コストで提供できる簡易な水素水発生設置、又は家庭に常備して、毎日使用するに最適な構造の水素水発生装置である。
【０００５】
【発明が解決しようとする課題】
前述した本出願人の水素水発生装置は、家庭に常備して、毎日使用するに最適な構造と云える。しかし、携帯し、必要とするときに直ちに（又はボトル活用して）水素水を生成すること、又はボトルを利用して水素水を生成すること等を考慮した場合には、幾分問題を抱えている。本発明は、この問題点の解決を意図しており、ボトルに設けた水素水発生体を、簡易な操作と、手段とを介してこのボトル内に投入して（浸漬して）、即座に水素水を生成することである。また本発明は、ボトルを携帯し、必要とする際に、その場で水素水を生成すること、又は家庭に常備して、必要とする際に、即座に水素水を生成すること等にある。
【０００６】
【課題を解決するための手段】
請求項１の発明は、前述したように、ボトルに設けた水素水発生体を利用して、簡易かつ速やかに水素水を生成すること、又はボトルを携帯し、必要とする際に、その場で水素水を生成すること、また家庭に常備して、必要とする際に、即座に水素水を生成すること等を意図する。さらに、一般家庭用として簡易な設置が図れること、低コストによる水素水生成のボトルを提供することを意図する。
【０００７】
請求項１は、マグネシウム、又はステンレス製等の金属素材で形成された筒状本体と、この筒状本体に開設した多数の透孔と、前記筒状本体に収容したマグネシウム、黒曜石、トルマリン、抗菌砂、風化サンゴ等の水素水発生粒子を充填した袋体とで構成した水素水発生体は、ボトルのキャップに取付け、取外し自在に設けられており、前記水素水発生体は、当該キャップの係止手段への係止を介して取付け可能とし、また当該キャップの押圧を介して前記係止手段より取外し可能としたことを特徴とする水素水発生体付きボトルである。
【０００８】
請求項２の発明は、請求項１の目的を達成するに最適な水素水発生体付きボトルの提供と、このボトルに設けた係止手段の提供を意図する。
【０００９】
請求項２は、請求項１に記載の係止手段は、嵌込み形の可撓性筒体であり、この筒体に水素水発生体を設ける構成としたことを特徴とする水素水発生体付きボトルである。
【００１０】
請求項３の発明は、請求項１の目的を達成するに最適な水素水発生体の提供を意図する。
【００１１】
請求項３は、請求項１に記載の水素水発生体を構成する粒子の混合割合は、重量％で、マグネシウム１５、黒曜石１５、トルマリン１５、抗菌砂３０、風化サンゴ２５としたことを特徴とする水素水発生体付きボトルである。
【００１２】
請求項４の発明は、請求項１の目的を達成するに最適な水素水発生体付きボトルの提供と、この水素水発生体を設けるのに最適なボトルの提供を意図する。
【００１３】
請求項４は、請求項１に記載のボトルは、ペットボトルとしたことを特徴とする水素水発生体付きボトルである。
【００１４】
請求項５の発明は、請求項１の目的を達成するに最適な水素水発生体付きボトルの提供と、このボトルに囓合される（取付け、取外される）キャップの提供を意図する。
【００１５】
請求項５は、請求項１に記載のキャップの押圧は、キャップに膨出した押圧凸部としたことを特徴とする水素水発生体付きボトルである。
【００１６】
請求項６の発明は、請求項１の目的を達成するに最適な水素水発生体付きボトルを提供する。
【００１７】
請求項６は、マグネシウム、又はステンレス製等の金属素材で形成された筒状本体と、この筒状本体に開設した多数の透孔と、前記筒状本体に収容したマグネシウム、黒曜石、トルマリン、抗菌砂、風化サンゴ等の水素水発生粒子を充填した袋体とで構成した水素水発生体は、ボトルに取付け、取外し自在に設けられており、前記水素水発生体は、当該ボトルの係止手段への係止を介して取付け可能とし、また当該ボトル又はキャップの押圧を介して前記係止手段より取外し可能としたことを特徴とする水素水発生体付きボトルである。
【００１８】
【発明の実施の形態】
以下、本発明の実施の態様（形態）を説明する。ボトルのキャップの裏面に設けた係止手段には、水素水発生体が係止されている。この係止の状態では、キャップの上面の略中央部は押圧凸部になっている。従って、この水素水発生体を利用してボトルの水を水素水に変換する場合は、押圧凸部を指先、器具等を利用して押し下げる。この押し下げ操作により、係止手段が拡開して、この係止手段に係止されていた水素水発生体が離間し、この水素水発生体の筒状本体内に充填したマグネシウム、黒曜石、トルマリン、抗菌砂、風化サンゴ等は、このボトルの水と接触する。この接触により、当該ペットボトルの水は、水素水となり、当該ボトル内に留まる。この水素水を、飲料水として利用することで、活性酵素（老廃物）を消して、体内の細胞・血液・腸内微生物・皮膚・毛髪等の活性化、等に寄与できる。また病気、機能障害等の根源となる活性酵素を消して、健康な生活を満喫できること、病気の治癒に役立つこと、便秘の解消に役立つこと等の特徴がある。また筒状本体をマグネシウム金属素材で構成した場合には、活性水の生成、水素の含有率の向上、病気治癒力の補助水生成、抗菌効果、又は後述する活性化との相乗効果の向上等の有効性が確保できる。また筒状本体をステンレス金属素材で構成した場合には、高級感覚、美観の向上、又は耐久性の向上等の有効性が確保できる。尚、この容器は、他の素材、例えば、プラスチック、布の場合もあり得る。また、この筒状本体は、他の素材、例えば、プラスチック、布の場合もあり得る。
【００１９】
またこのボトル内の水素水は、ヒータにより加温するか、又は冷却器により冷却、或いは常温に保持する。また容器に設けたコックを開放することにより、何時でも、飲料水、料理水、又は他の用途の水として利用する。例えば、飲料水として利用した場合には、体内の活性酵素（老廃物）を消して、体内の細胞・血液・腸内微生物・皮膚・毛髪等の活性化、等に寄与できる。また病気、機能障害等の根源となる活性酵素を消して、健康な生活を満喫できること、病気の治癒に役立つこと、便秘の解消に役立つこと等の特徴がある。
【００２０】
前述の如く、加温又は冷却することで、水素水の保存と、飲料、又は料理等に適した状況と、この水素水の最適でかつ効果的な使用が図れる特徴がある。また密封式のボトルに貯蔵する例の場合は、長期の保存（腐敗防止、又は味・臭気等の確保）と、雑菌の浸入防止等が図れる。
【００２１】
【実施例】
以下、本発明の一実施例を説明する。
【００２２】
水素水発生体Ａを構成する金属素材の筒状本体１は、多数の透孔１００を有する板状の金属素材１０１を筒状に曲折して成形する。そして、この曲折接合部は、接着、又は付合せ、スリットを確保した付合せ等の手段を採用する。このスリットを設ける構成では、水素水発生体との接触効率を確保できる。また後述するキャップの径の大小を利用して、当該スリットの隙間調整も可能である。尚、筒状本体１は好ましい一例を示したものであり、角柱、三角柱、楕円柱、異形柱、凹凸柱形、波形柱形、偏平瓢箪形等の各種の対応が可能である。
【００２３】
図中２は筒状本体１の少なくとも一方の開口１ａに取付けられるキャップで、このキャップ２は、マグネシウム金属素材、ステンレス金属素材、又はプラスチック素材、陶器製等を使用する。また図中２０は他方の開口１ｂに取付けられるキャップを示す。その構造は、原則として、キャップ２に準ずる。そして、キャップ２と筒状本体１とは、それぞれに設けた係止部２００と係止部１０２ａとを利用して係合する。またキャップ２０と筒状本体１は、それぞれに設けた係止部２０００と係止部１０２ｂとを利用して係合する。
【００２４】
また筒状本体１には、不織布、セラミック等の透水性素材を使用する袋体３に、マグネシウム、黒曜石、トルマリン、抗菌砂、風化サンゴ等の粒状素材を少なくとも一種又は数種を混合した粒子４を充填して水素水発生基材５を構成する。そして、この袋体３は、透水性素材を使用することから、当該袋体３内の粒子４は、この素材特性と筒状本体１の透孔１００を介して水と接触する。この袋体３の形態は、筒状本体１の形態に対応することが理想であるが、その一例を示した。またこのマグネシウム、黒曜石、トルマリン、抗菌砂、風化サンゴ等の粒状素材の混合割合は、記述した例が理想である。しかし、マグネシウム、黒曜石、トルマリン、抗菌砂、風化サンゴ等の粒状素材を一種又は数種を混合した粒子４を選択することで、多様の水素水生成と、好みの水素水生成が確保できること、また状況にあった水素水、体調・症状にあった水素水生成ができること、等の特徴がある。そして、この粒子４の混合割合及び／又は粒状素材、粒径、量の選択は、一例であり、使用用途、目的、又はコスト面、水素の含有割合等で決定する。
【００２５】
この水素水発生体Ａは、ボトル１０のキャップ１１に設けた係止手段に簡易に取付けられる。この係止手段の一例を示すと、環状で可撓性の突条１１００であって、この突条１１００に水素水発生体Ａを挿入し、突条１１００を押し広げるようにして圧入すると、この水素水発生体Ａは突条１１００に取付けられる（係止される）。またこの水素水発生体Ａを突条１１００より取外す（係止を外す）には、キャップ１１に設けた押圧凸部１１０１を指先、器具等を利用して押し下げる。この押し下げ操作により、突条１１００が拡開し、両者の係止関係が解除されることで、当該水素水発生体Ａは取外される（離脱される）。またこの突条１１００の形状は、筒状本体１と袋体３の形態に対応することが、取付け、取外し等の面において理想である。また突条１１００の形状は、筒状本体１と袋体３の形態と異なっても、別段問題が発生することはない。そして、この例の如く、突条１１００とキャップ１１との間に隙間１１０２を形成することで、この突条１１００の可撓性を確保し、水素水発生体Ａの取外し等の容易化を図る。図示しない、この突条１１００の他の形態を説明すると、この突条１１００は、二条形態、凹凸形態、テーパ形態等も可能であり、換言すれば、水素水発生体Ａを取付け、取外しできる構造であれば限定されないが、原則として、簡易な操作と、コスト面、製造の容易化等を考慮することが必要である。さらに他の例としては、この水素水発生体Ａは、ボトル１０の設けた係止手段に簡易に取付け等できる構成でも可能である。この係止手段の一例を示すと、首部１０ａの内側に設けた可撓性の突条１０００である。この突条１０００の隙間に水素水発生体Ａを取付け、取外し可能に設ける。この例では、首部１０ａの押圧又は押圧開放か、又はキャップ１１に設けた突起１１ａによる押圧又は押圧開放の操作により、水素水発生体Ａの取外しを行う。この際、キャップ１１を取外し、その後、押圧等による操作が最適であるが、キャップ１１を取付けた状態での押圧等の操作でも可能であり、限定されない。
【００２６】
尚、他の構成は、前述のキャップ１１に準ずる。
【００２７】
尚、筒状本体１と袋体３と、ボトル１０の形態を対応させると、さらに素晴らしく、商品価値の向上に対応できる利点がある。
【００２８】
本出願人の経験では、水素水発生体Ａの保管と、有効な使用の一例を説明する。▲１▼  使用期限は、１本の水素水発生体Ａで１日、約１．５〜２．５リットルの水素水を作った場合、約３ヵ月飲用できる。▲２▼  手入れ方法は、１週間に１度は水素水発生体Ａとボトルを流水でよく洗う。そして、望ましくは、１ヵ月に１度、安価な醸造酢を５倍ほどに薄めた酢水の中へ水素水発生体Ａ全体を浸し、約３０分後に取り出し流水でよく洗う。そして、注意点は、お酢は必ず薄めで使用し、容器に蓋をしないことが望ましい。また１時間以上浸したままにしない。▲３▼  保存方法は、（イ）温度・湿度の高い場所、直射日光の当る場所は避ける。（ロ）風通しがよい所に保存する。（ハ）幼児の手の届かないところに保管する。（ニ）開封後は、できるだけ１年以内に使用する。▲４▼  使用上の注意は、（ホ）水素水発生体Ａは常に水素を発生しているので、水の中に入れたままで使う（取り出して放置すると、水素はすぐに減る）。（ヘ）雑菌が水素水に入るのを防ぐため、水素水は、なるべくコップ等の器で飲むことがよい。（ト）水素水発生体Ａを入れたまま水を加熱しない。また水素水発生体Ａを熱湯につけない（耐熱温度６５℃）。（チ）水以外の飲料に水素水発生体Ａを入れない。（リ）水素水は、常温で１日、冷蔵保存では１週間で飲みきる。（ヌ）使用開始後は水の中に浸すようにし、できるだけ空気と接触しない。以上を管理の要点とする。
【００２９】
【発明の効果】
請求項１の発明は、マグネシウム、又はステンレス製等の金属素材で形成された筒状本体と、筒状本体に開設した多数の透孔と、筒状本体に収容したマグネシウム、黒曜石、トルマリン、抗菌砂、風化サンゴ等の水素水発生粒子を充填した袋体とで構成した水素水発生体は、ボトルのキャップに取付け、取外し自在に設けられており、水素水発生体は、キャップの係止手段への係止を介して取付け可能とし、またキャップの押圧を介して係止手段より取外し可能とした水素水発生体付きボトルである。
【００３０】
従って、ボトルに設けた水素水発生体を利用して、簡易かつ速やかに水素水を生成できること、又はボトルを携帯し、必要とする際に、その場で水素水を生成できること、また家庭に常備して、必要とする際に、即座に水素水を生成できること等の特徴がある。さらに、一般家庭用として簡易な設置が図れること、低コストによる水素水生成のボトルを提供できること等の利点がある。
【００３１】
請求項２の発明は、請求項１に記載の係止手段は、嵌込み形の可撓性筒体であり、筒体に水素水発生体を設ける構成とした水素水発生体付きボトルである。
【００３２】
従って、請求項２は、請求項１の目的を達成するに最適な水素水発生体付きボトルの提供と、ボトルに設けた係止手段の提供が図れる特徴がある。
【００３３】
請求項３の発明は、請求項１に記載の水素水発生体を構成する粒子の混合割合は、重量％で、マグネシウム１５、黒曜石１５、トルマリン１５、抗菌砂３０、風化サンゴ２５とした水素水発生体付きボトルである。
【００３４】
従って、請求項３の発明は、請求項１の目的を達成するに最適な水素水発生体の提供を意図する。
【００３５】
請求項４の発明は、請求項１に記載のボトルは、ペットボトルとした水素水発生体付きボトルである。
【００３６】
従って、請求項４は、請求項１の目的を達成するに最適な水素水発生体付きボトルの提供と、この水素水発生体を設けるのに最適なボトルの提供が図れる特徴がある。
【００３７】
請求項５の発明は、請求項１に記載のキャップの押圧は、キャップに膨出した押圧凸部としたことを特徴とする水素水発生体付きボトルである。
【００３８】
従って、請求項５は、請求項１の目的を達成するに最適な水素水発生体付きボトルの提供と、このボトルに囓合されるキャップの提供が図れる特徴がある。
【００３９】
請求項６の発明は、マグネシウム、又はステンレス製等の金属素材で形成された筒状本体と、筒状本体に開設した多数の透孔と、筒状本体に収容したマグネシウム、黒曜石、トルマリン、抗菌砂、風化サンゴ等の水素水発生粒子を充填した袋体とで構成した水素水発生体は、ボトルに取付け、取外し自在に設けられており、水素水発生体は、ボトルの係止手段への係止を介して取付け可能とし、またボトル又はキャップの押圧を介して係止手段より取外し可能とした水素水発生体付きボトルである。
【００４０】
従って、請求項６は、請求項１の目的を達成するに最適な水素水発生体付きボトルを提供できる。
【図面の簡単な説明】
【図１】本発明の水素水発生体付きボトルの一例を示す断面図
【図２】図１の要部の拡大断面図
【図３】本発明の水素水発生体付きボトルの他の一例を示す断面図
【図４】本発明の水素水発生体の一例を示す一部欠截の分解斜視図
【図５】図４の水素水発生体の完成した斜視図
【図６】本発明の他の水素水発生体の一例を示す一部欠截の分解斜視図
【符号の説明】
Ａ      水素水発生体
１      筒状本体
１ａ      開口
１ｂ      開口
１０      ボトル
１０ａ    首部
１００    透孔
１０１    金属素材
１０２ａ    係止部
１０２ｂ    係止部
１０００    突条
１１      キャップ
１１ａ    突起
１１００    突条
１１０１    押圧凸部
１１０２    隙間
２      キャップ
２０      キャップ
２００    係止部
２０００    係止部
３      袋体
４      粒子
５      水素水発生基材
【図１】
2004344783.tif 000003
【図２】
2004344783.tif 000004
【図３】
2004344783.tif 000005
【図４】
2004344783.tif 000006
【図５】
2004344783.tif 000007
【図６】
2004344783.tif 000008